(57)【要約】本発明は デジタルカメラを用いた本スキャナに係り、ハウジングとテーブルとよりなる胴体と、テーブルに光を照射するための照明手段と、本のイメージを撮影してスキャンするようにしたデジタルカメラと、１次反射させるための固定ミラーと、２次反射させるための回転ミラーと、を備えてなる。本発明によるスキャナは、解像度を高めてスキャンする場合であっても、迅速なスキャンが可能になり、且つ、テーブルの左側面に発生するイメージや右側面に発生するイメージを選択的にスキャンすることが可能である他、両側面を両方とも順次にスキャンすることもできる
2010511347.tif 000002
【特許請求の範囲】
【請求項１】
内部に上部だけを開口した空間を形成したハウジングと、前記ハウジングの開口された上部を覆うように設けられてスキャンの対象となる本を開いて載置可能な場所を設けるようにした透明材質のテーブルと、よりなる胴体と、
前記胴体に設けられ、前記テーブルに光を照射して前記本の左右面のイメージを前記テーブルから透視する照明手段と、
前記ハウジングの内底面からレンズが前記テーブルの中央を向くように設けられて、前記照明手段の光を照射されて前記テーブルから透視される前記本の左右イメージを撮影してスキャンするようにしたデジタルカメラと、
前記ハウジングの内底面から前記デジタルカメラの左右側にそれぞれ設けられることにより、前記テーブルの下に位置して、前記テーブルから透視される前記本の左右イメージを前記デジタルカメラに向かって１次反射させるようにした固定ミラーと、
前記ハウジングの内底面から立設される支持部材に支持されて前記デジタルカメラの上に設けられ、外部の操作により左右に回転しながら前記固定ミラーから反射される前記本の左右イメージを選択的に前記デジタルカメラに向かって２次反射させて前記デジタルカメラが前記本をスキャンできるようにした回転ミラーと、
を備えるデジタルカメラを用いた本スキャナ。
【請求項２】
前記テーブルは、前記本を開いて載置できるように中央を中心として左右側部を三角形状に折曲げ形成した板状を呈することを特徴とする、請求項１に記載のデジタルカメラを用いた本スキャナ。
【請求項３】
前記照明手段は、前記テーブルの左右側部の下にそれぞれ設けられて、その左右側部の下部面に沿って光を照射することを特徴とする、請求項２に記載のデジタルカメラを用いた本スキャナ。
【請求項４】
前記照明手段は、前記テーブルの左右側部のいずれか一方の縁部下に設けられて、その他方の縁部に向かって光を照射することを特徴とする、請求項３に記載のデジタルカメラを用いた本スキャナ。
【請求項５】
前記照明手段は、前記テーブルの左右側部の縁部の下に相対するように設けられ、互いに向かって光を照射することを特徴とする請求項３に記載のデジタルカメラを用いた本スキャナ。
【請求項６】
前記照明手段は、前記縁部の長さに沿って多数配設されることを特徴とする請求項４または５のいずれかに記載のデジタルカメラを用いた本スキャナ。
【請求項７】
前記ハウジングの底面の下には一つの閉鎖空間がさらに形成され、前記照明手段はその閉鎖空間に内設されて前記閉鎖空間の上部を通過して前記テーブルに光を照射することを特徴とする請求項２に記載のデジタルカメラを用いた本スキャナ。
【請求項８】
前記照明手段は、前記テーブルの左右側部に向かってそれぞれ光を照射できるように２つの区域に分けられて設けられることを特徴とする請求項７に記載のデジタルカメラを用いた本スキャナ。
【請求項９】
前記照明手段の光が通過する前記閉鎖空間の上部には前記照明手段の光を通過させるための透明窓がさらに設けられ、その透明窓の上には前記光の照度を均一にするための半透明窓がさらに設けられることを特徴とする請求項８に記載のデジタルカメラを用いた本スキャナ。
【請求項１０】
前記照明手段は前記透明窓の長さに沿って多数配設されることを特徴とする請求項９に記載のデジタルカメラを用いた本スキャナ。
【請求項１１】
前記半透明窓は円弧状を有し、前記透明窓のいずれか一方に設けられて前記照明手段の配列を差等的に覆って遮光を行うことを特徴とする請求項１０に記載のデジタルカメラを用いた本スキャナ。
【請求項１２】
前記半透明窓は、半透明フィルム紙であることを特徴とする請求項９に記載のデジタルカメラを用いた本スキャナ。
【請求項１３】
前記照明手段は、発光ダイオード（ＬＥＤ）であることを特徴とする請求項１に記載のデジタルカメラを用いた本スキャナ。
【請求項１４】
前記固定ミラーはその反射面が相対するように前記テーブルに向かって傾設され、その反射面と対向する前記本の左右イメージのうちどちらか一方のイメージを前記デジタルカメラに向かって反射することを特徴とする請求項１に記載のデジタルカメラを用いた本スキャナ。
【請求項１５】
前記テーブルは、前記ハウジングから脱着自在に設けられることを特徴とする請求項１に記載のデジタルカメラを用いた本スキャナ。
【請求項１６】
前記テーブルの縁部には、載置された本が滑り落ちないように受け止めるためのストッパーがさらに突設されることを特徴とする請求項１に記載のデジタルカメラを用いた本スキャナ。
【請求項１７】
前記回転ミラーの回転は、前記支持部材に設けられるモータにより行われることを特徴とする請求項１に記載のデジタルカメラを用いた本スキャナ。
【請求項１８】
前記ハウジングの内底面には、測定された照度が設定された数値以下となった場合に前記デジタルカメラが前記本の左右イメージをいずれか一方から順次にスキャンできるように制御するための照度計がさらに設けられることを特徴とする請求項１７に記載のデジタルカメラを用いた本スキャナ。
【請求項１９】
前記ハウジングには、前記構成要素に外部の電源を印加するための電源供給スイッチと、コンピュータや別途の記録媒体に前記デジタルカメラが撮影した前記本のイメージを保存したりディスプレイできるように伝送するためのケーブルを連結するための連結ジャックと、前記モータの作動を操作するためのスキャンスイッチと、前記照度計を用いて前記本のイメージを順次にスキャンできるように前記構成要素を作動させるための自動スキャンスイッチと、からなる制御パネル部がさらに設けられることを特徴とする請求項１８に記載のデジタルカメラを用いた本スキャナ。
【発明の詳細な説明】
【技術分野】
【０００１】
本発明はデジタルカメラを用いた本スキャナに関し、さらに詳しくは、デジタルカメラを用いて本の内側面をスキャンすることにより、解像度を高めてスキャンする場合であっても迅速なスキャンを行うことができ、左側面または右側面だけを選択的に円滑にスキャンすることもできる他、左右側面を順次にスキャンすることもできる本スキャナに関する。
【背景技術】
【０００２】
一般に、スキャナは、紙に印刷された図柄や文字などをスキャンしてコンピュータのハードディスクやＣＤ、ＵＳＢなどの記録媒体に保存したり、プロジェクタやコンピュータなどを通じてスクリーンや画面にディスプレイする。
【０００３】
この種のスキャナは、通常、透明なテーブルの上に本などの印刷物を載せ、イメージセンサを有するスキャンヘッドがテーブルの下を移動しながらその印刷物に印刷された文字や図柄などの対象物をスキャンするようになっている。このため、既存のスキャナは、スキャンヘッドの移動に時間がかかるために迅速なスキャンが行われないという不都合がある。なお、既存のスキャナは解像度を高めてスキャンを行うほど、その所要時間が長引いてしまうという欠点がある。
【０００４】
さらに、既存のスキャナは本の内側面をスキャンすることが極めて困難であった。これは、図柄や文字などの印刷された紙が透明なテーブルに密着されなければ、円滑なスキャンを行うことができないが、本の場合には製本されていてその中央部がテーブルに密着できなくなることに起因する。
【０００５】
このような不都合を解消するために、大韓民国特許出願第１０−２００３−００８９４２１号公報（公開番号１０−２００５−００５６４１１号公報）には、テーブルを開かれた本の形状と同様に三角形状に形成して本を効果的にスキャンするようにした本スキャナが開示されている。
【０００６】
しかしながら、上記の本スキャナもまた、イメージセンサを有するスキャンヘッドを用いてスキャンを行うため迅速なスキャンが行われないという不都合があり、さらに、選択的に本の左右面をスキャンすることができないという欠点がある。
【発明の概要】
【発明が解決しようとする課題】
【０００７】
そこで、本発明は、上記問題に鑑みてなされたものであり、本発明の目的とするところは、解像度を高めてスキャンする場合であっても迅速にスキャンが行われ、本の左右面を選択的にスキャンすることができると共に、本の左右面を順次にスキャンすることもできる本スキャナを提供するところにある。
【課題を解決するための手段】
【０００８】
上記課題を解決するために、本発明のある観点によれば、内部に上部だけを開口した空間を形成したハウジングと、前記ハウジングの開口された上部を覆うように設けられてスキャンの対象となる本を開いて載置可能な場所を設けるようにした透明材質のテーブルと、よりなる胴体と、前記胴体に設けられ、前記テーブルに光を照射して前記本の左右面のイメージを前記テーブルから透視する照明手段と、前記ハウジングの内底面からレンズが前記テーブルの中央を向くように設けられて、前記照明手段の光を照射されて前記テーブルから透視される前記本の左右イメージを撮影してスキャンするようにしたデジタルカメラと、前記ハウジングの内底面から前記デジタルカメラの左右側にそれぞれ設けられることにより、前記テーブルの下に位置して、前記テーブルから透視される前記本の左右イメージを前記デジタルカメラに向かって１次反射させるようにした固定ミラーと、前記ハウジングの内底面から立設される支持部材に支持されて前記デジタルカメラの上に設けられ、外部の操作により左右に回転しながら前記固定ミラーから反射される前記本の左右イメージを選択的に前記デジタルカメラに向かって２次反射させて前記デジタルカメラが前記本をスキャンできるようにした回転ミラーと、を備える本スキャナが提供される。
【０００９】
また、前記テーブルは、前記本を開いて載置できるように中央を中心として左右側部を三角形状に折曲げ形成した板状を呈するようにしてもよい。
【００１０】
また、前記照明手段は、前記テーブルの左右側部の下にそれぞれ設けられて、その左右側部の下部面に沿って光を照射するようにしてもよい。
【００１１】
また、前記照明手段は、前記テーブルの左右側部のいずれか一方の縁部下に設けられて、その他方の縁部に向かって光を照射するようにしてもよい。
【００１２】
また、前記照明手段は、前記テーブルの左右側部の縁部の下に相対するように設けられ、互いに向かって光を照射するようにしてもよい。
【００１３】
また、前記照明手段は、前記縁部の長さに沿って多数配設されるようにしてもよい。
【００１４】
また、前記ハウジングの底面の下には一つの閉鎖空間がさらに形成され、前記照明手段はその閉鎖空間に内設されて前記閉鎖空間の上部を通過して前記テーブルに光を照射するようにしてもよい。
【００１５】
また、前記照明手段は、前記テーブルの左右側部に向かってそれぞれ光を照射できるように２つの区域に分けられて設けられるようにしてもよい。
【００１６】
また、前記照明手段の光が通過する前記閉鎖空間の上部には前記照明手段の光を通過させるための透明窓がさらに設けられ、その透明窓の上には前記光の照度を均一にするための半透明窓がさらに設けられるようにしてもよい。
【００１７】
また、前記照明手段は前記透明窓の長さに沿って多数配設されるようにしてもよい。
【００１８】
また、前記半透明窓は円弧状を有し、前記透明窓のいずれか一方に設けられて前記照明手段の配列を差等的に覆って遮光を行うようにしてもよい。
【００１９】
また、前記半透明窓は、半透明フィルム紙であってもよい。
【００２０】
また、前記照明手段は、発光ダイオード（ＬＥＤ）であってもよい。
【００２１】
また、前記固定ミラーはその反射面が相対するように前記テーブルに向かって傾設され、その反射面と対向する前記本の左右イメージのうちどちらか一方のイメージを前記デジタルカメラに向かって反射するようにしてもよい。
【００２２】
また、前記テーブルは、前記ハウジングから脱着自在に設けられるようにしてもよい。
【００２３】
また、前記テーブルの縁部には、載置された本が滑り落ちないように受け止めるためのストッパーがさらに突設されるようにしてもよい。
【００２４】
また、前記回転ミラーの回転は、前記支持部材に設けられるモータにより行われるようにしてもよい。
【００２５】
また、前記ハウジングの内底面には、測定された照度が設定された数値以下となった場合に前記デジタルカメラが前記本の左右イメージをいずれか一方から順次にスキャンできるように制御するための照度計がさらに設けられるようにしてもよい。
【００２６】
また、前記ハウジングには、前記構成要素に外部の電源を印加するための電源供給スイッチと、コンピュータや別途の記録媒体に前記デジタルカメラが撮影した前記本のイメージを保存したりディスプレイできるように伝送するためのケーブルを連結するための連結ジャックと、前記モータの作動を操作するためのスキャンスイッチと、前記照度計を用いて前記本のイメージを順次にスキャンできるように前記構成要素を作動させるための自動スキャンスイッチと、からなる制御パネル部がさらに設けられるようにしてもよい。
【発明の効果】
【００２７】
以上説明したように本発明によれば、デジタルカメラを用いて本の内側面をスキャンすることにより、解像度を高めてスキャンする場合であっても迅速なスキャンが行われるという効果がある。
【００２８】
また、本を載せるテーブルを三角形状に形成し、そのテーブルの左側部と右側部から透視されるイメージを集めてデジタルカメラに向かって反射させる左側固定ミラーと右側固定ミラーを備え、その反射されたイメージをデジタルカメラに結像させる回転ミラーを備えることにより、本の左右面を選択的にスキャンすることが可能になると共に、両側面を順次にスキャンすることもできるという効果がある。
【図面の簡単な説明】
【００２９】
【図１】本発明のデジタルカメラを用いた本スキャナを内部構造が覗かれるように一部切り取って示す斜視図である。
【図２】本発明において、本の右側面をスキャンする過程を示す図である。
【図３】本発明において、本の左側面をスキャンする過程を示す図である。
【図４】本発明における照明手段の設置例を示す図である。
【図５】本発明における照明手段の設置例を示す図である。
【図６】本発明における照明手段の他の設置例を示す図である。
【図７】本発明のデジタルカメラを用いた本スキャナの変形例を示す図である。
【図８】図７における照明手段の配列の様子のみを示す図である。
【発明を実施するための形態】
【００３０】
以下、添付図面に基づき、本発明の好適な実施形態を詳述する。本発明を説明するに先立って、添付図面は本発明の技術的思想を具現するための一実施形態に過ぎないため、本発明の技術的思想を図面によって限定したものではないということを明らかにしておく。
【００３１】
図１は、本発明のデジタルカメラを用いた本スキャナを内部構造が覗かれるように一部切り取って示す斜視図であり、図２は、本発明において、本の右側面をスキャンする過程を示す図であり、図３は、本発明において、本の左側面をスキャンする過程を示す図であり、図４及び図５は、本発明における照明手段の設置例を示す図であり、図６は、本発明における照明手段の他の設置例を示す図であり、図７は、本発明のデジタルカメラを用いた本スキャナの変形例を示す図であり、そして図８は、図７における照明手段の配列の様子のみを示す図である。
【００３２】
本発明によるデジタルカメラを用いた本スキャナは、内部に上部だけを開口した空間を形成したハウジング８０を備えている。
【００３３】
前記ハウジング８０は、光が通過不可な材質から製作されていてもよい。このハウジング８０の開口された上部にはテーブル１０を覆い被せて胴体を形成する。
【００３４】
前記テーブル１０はガラスなどの透明材質から製作されたものであり、開かれた本の内側面が効果的に接触されるように中央を中心として左右側部を三角形状に折り曲げて形成した板状である。
【００３５】
前記テーブル１０は前記ハウジング８０に脱着自在に設けられて、前記ハウジング８０の内部に取り付けられる下記の構成要素の交替や補修を容易にすることが好ましい。
【００３６】
前記テーブル１０の下には、前記テーブル１０の下部面に沿って光を照射するための照明手段２０、２１が設けられるが、これについては後述する。
【００３７】
本発明は、解像度を高めてスキャンする場合であっても、スキャンを迅速に行わせるところにその目的がある。何故ならば、既存のスキャナは、イメージセンサを有するスキャンヘッドが移動を完了するのにかかる時間が長かったためである。
【００３８】
このために、本発明は、デジタルカメラ３０を用いてスキャンを行っている。すなわち、前記テーブル１０に載せられた本１のイメージを前記デジタルカメラ３０のレンズに結像させ、その結像されたイメージを前記デジタルカメラ３０が撮影してスキャンすることにより、解像度を高めてスキャンする場合であっても迅速にスキャンが行われる。
【００３９】
また、本発明は、単一の前記デジタルカメラ３０を備えた場合であっても、前記本１の左右面を両方ともスキャン可能にすることにより、スキャナが肥大化することを防止し、これにより、製造コストを下げることができる。
【００４０】
前記デジタルカメラ３０は前記ハウジング８０の内底面からそのレンズが前記テーブル１０の中央を向くように設けられる。
【００４１】
また、図２に示すように、前記デジタルカメラ３０の左側には左側固定ミラー４０が設けられる。
【００４２】
前記左側固定ミラー４０は、前記ハウジング８０の底面から前記デジタルカメラ３０の左側に設けられて前記テーブル１０の左側部の下に位置する。
【００４３】
このように設けられる前記左側固定ミラー４０は、対向する前記テーブル１０の右側部を介して透視される前記本１の右側面のイメージを前記デジタルカメラ３０に向かって１次反射させる。
【００４４】
また、図３に示すように、前記デジタルカメラ３０の右側には右側固定ミラー５０が設けられる。
【００４５】
前記右側固定ミラー５０は前記ハウジング８０の底面から前記デジタルカメラ３０の右側に設けられて前記テーブル１０の右側部の下に位置する。
【００４６】
前記右側固定ミラー５０は、対向する前記テーブル１０の左側部を介して透視される前記本１の左側面のイメージを前記デジタルカメラ３０に向かって１次反射させる。
【００４７】
この構造において、前記左側固定ミラー４０または右側固定ミラー５０により反射される前記本１のイメージが前記デジタルカメラ３０を向くとしても、前記テーブル１０を向くレンズにはイメージが結像されない。
【００４８】
このため、本発明は、回転ミラー６０を設けている。前記回転ミラー６０は前記デジタルカメラ３０の上部に傾設されてその反射面を左右回転させることにより、前記左側固定ミラー４０により反射されたイメージと前記右側固定ミラー５０により反射されたイメージを選択的に前記デジタルカメラ３０のレンズに向かって２次反射させて前記イメージを前記レンズに結像させる。
【００４９】
前記左側固定ミラー４０、右側固定ミラー５０及び回転ミラー６０は鏡のように光を反射して像を結ぶものであり、前記回転ミラー６０の位置及びその傾斜角度は前記テーブル１０の中央角度（折曲された角度）と前記デジタルカメラ３０のレンズから前記テーブル１０の中央までの距離及び前記ミラー４０、５０の位置によって異なってくる。
【００５０】
前記回転ミラー６０は、上述したように傾設されなければ、前記デジタルカメラ３０のレンズに前記本１のイメージを結像させることができない。
【００５１】
前記左側固定ミラー４０により反射されたイメージと前記右側固定ミラー５０により反射されたイメージは、前記回転ミラー６０の回転方向によって前記デジタルカメラ３０のレンズに結像される。
【００５２】
前記回転ミラー６０の左右回転は、モータ７０によって行われる。
【００５３】
すなわち、前記モータ７０は、前記ハウジング８０の内底面から立設される支持部材（参照符号なし）に設けられて前記回転ミラー６０と連結されることにより、前記回転ミラー６０を左右に回転させる。
【００５４】
このとき、前記モータ７０は正逆モータであってもよい。前記支持部材は、前記モータ７０を支持して前記回転ミラー６０を前記デジタルカメラ３０の上に位置させる。
【００５５】
このため、図２に示すように、前記回転ミラー６０の反射面が前記モータ７０の駆動により左側を向くと、前記左側固定ミラー４０を介して反射される前記テーブル１０の右側部を介して透視される前記本１の右側面イメージが前記デジタルカメラ３０のレンズに結像される。
【００５６】
逆に、図３に示すように、前記回転ミラー６０の反射面が前記モータ７０の駆動により右側を向くと、前記右側固定ミラー５０を介して反射される前記テーブル１０の左側部を介して透視される前記本１の左側面イメージが前記デジタルカメラ３０のレンズに結像される。
【００５７】
一方、前記照明手段２０、２１は、前記テーブル１０の左右側部の下にそれぞれ設けられてその左右側部の下部面に沿って光を照射することにより、前記デジタルカメラ３０のレンズが正常に前記テーブル１０から透視されるイメージをスキャンする。
【００５８】
すなわち、前記照明手段２０は、図４及び図５に示すように、前記テーブル１０の左右側部のどちらか一方の縁部の下に設けられて、その他方の縁部に向かって光を照射することにより、光が前記テーブル１０から反射されても、前記デジタルカメラ３０側には照射されないようにして、前記デジタルカメラ３０に正常に前記テーブル１０から透視されるイメージをスキャンさせる。
【００５９】
前記照明手段２１は、前記照明手段２０と相対する前記テーブル１０の左右側部の縁部の下に設けられて、前記照明手段２０と一緒に均一な照明効果が得られるようにしている。
【００６０】
前記照明手段２０、２１としては、蛍光灯、百熱電球または発光ダイオードのいずれか一つを使用することが好ましいが、百熱電球や発光ダイオードである場合には前記縁部の長さに沿って多数配設されることが好ましい。
【００６１】
以下においては、本発明の作動原理を説明する。
【００６２】
図２に示すように、前記本１が開かれたままでひっくり返されて前記テーブル１０の上に載せられると、本の内側面が前記テーブル１０に円滑に接触される。
【００６３】
その状態で、前記モータ７０の駆動により前記回転ミラー６０が左側に回転すると、前記テーブル１０の右側部から透視される前記本１のイメージがスキャン可能な状態となる。
【００６４】
すなわち、前記テーブル１０の左側部から透視される前記本１の左側面イメージは前記右側固定ミラー５０により反射されて前記回転ミラー６０に送られ、前記回転ミラー６０はそのイメージをさらに前記デジタルカメラ３０のレンズ側に結像されるように送って前記本１の左側面イメージをスキャン可能な状態にする。
【００６５】
また、図３に示すように、前記テーブル１０に前記本１が載せられた状態で前記モータ７０の駆動により前記回転ミラー６０が右側に回転すると、前記テーブル１０の左側部から透視される前記本１のイメージがスキャン可能な状態となる。
【００６６】
すなわち、前記テーブル１０の左側部から透視される前記本１の左側面イメージは前記右側固定ミラー５０により反射されて前記回転ミラー６０に送られ、前記回転ミラー６０はそのイメージをさらに前記デジタルカメラ３０のレンズ側に結像されるように送って、前記本１の左側面イメージをスキャン可能な状態とする。
【００６７】
このように前記デジタルカメラ３０のレンズにイメージが結像されると、前記デジタルカメラ３０が作動してその結像されたイメージを撮影することによりスキャン作業が完了する。
【００６８】
この後、前記デジタルカメラ３０は、そのスキャンしたイメージファイルを記録媒体やコンピュータに送って保存するようにしたり、ウィンドウを通じてディスプレイするようにする。
【００６９】
一方、本発明は、テーブル１０に前記本１が載せられたことを感知して自動的にスキャンを行っている。これは、前記ハウジング８０の内底面に設けられてその内部の照度を測定する照度計９０により達成される。
【００７０】
すなわち、本発明は、前記構成要素２０、２１、６０、７０に電源が供給された状態で、前記照度計９０により測定された照度の数値が設定された数値以下になると、前記テーブル１０の左側部から透視されるイメージと右側部から透視されるイメージが順次にスキャンされるようにしている。
【００７１】
前記テーブル１０に前記本１や紙などが載せられると、光が前記ハウジング８０の内部に流入することが遮断される結果、前記ハウジング８０の内部はほとんど暗黒となるが、この技術はこれを用いたものである。
【００７２】
前記照度計９０により測定された照度が設定された数値以下となったときにスキャンを行う上記の技術は、制御手段が別設されてそれぞれの構成要素を制御する方法と、電源の印加有無が決定されるように配線する方法などにより実現可能である。
【００７３】
このように前記照度計９０により測定された照度の数値によって特定の構成要素に特定の作動を行わせる方法は周知の技術であるため、ここでは詳細な説明を省略する。
【００７４】
また、本発明は、前記テーブル１０の上に載せられた本１や紙などが滑り落ちないように受け止めるストッパー１００をさらに備えている。
【００７５】
すなわち、本の場合を例にとって説明すると、開かれた本の一方が他方よりも相対的に重ければ、その重い側に本が滑り落ちるため、本を握っていない場合には前記テーブル１０の上に載せられた本が不安定な状態となる。
【００７６】
また、前記テーブル１０は三角形状を呈しているため、バラの紙は前記テーブル１０の上に安定的に載せられない。
【００７７】
このため、前記テーブル１０の上に載せられた本や紙などが滑り落ちないように受け止めるためのストッパー１００が必要となる。
【００７８】
従って、前記ストッパー１００は、前記テーブル１０の左右側部の縁部から突設されて上記の機能を行う。
【００７９】
また、本発明は、前記ハウジング８０の前面に制御パネル部を設けている。
【００８０】
前記制御パネル部は、記録媒体やコンピュータに、前記デジタルカメラ３０により撮影された前記本１のイメージを保存したりディスプレイできるように送るためのケーブルを連結するための連結ジャック１１０を備えている。
【００８１】
さらに、前記制御パネル部は、前記テーブル１０の右側部から透視されるイメージをスキャンするように前記回転ミラー６０が右側に回転するように前記モータ７０の駆動を操作するための右側スキャンスイッチ１２０を備えることが好ましい。
【００８２】
また、前記制御パネル部は、前記テーブル１０の左側部から透視されるイメージをスキャンするために、前記回転ミラー６０が右側に回転するように前記モータ７０の駆動を操作するための左側スキャンスイッチ１３０を備えることが好ましい。
【００８３】
さらにまた、前記制御パネル部は、前記モータ７０の作動により前記回転ミラー６０が左側と右側に順次に回転することにより前記テーブル１０の左側部において発生するイメージと右側部において発生するイメージを順次にスキャンできるようにした自動スキャンスイッチ１４０を備えることが好ましい。
【００８４】
すなわち、前記左側スキャンスイッチ１３０は前記テーブル１０の左側部だけをスキャンするように前記回転ミラー６０を操作し、前記右側スキャンスイッチ１２０は前記テーブル１０の右側部をスキャンするように操作するが、これとは異なり、前記自動スキャンスイッチ１４０は前記テーブル１０の左側部と右側部を順次にスキャンするように前記回転ミラー６０を操作する。
【００８５】
また、前記制御パネル部は前記構成要素に外部の電源を印加するための電源供給ウッチ１５０を備えることが好ましい。
【００８６】
一方、図７及び図８に示すように、本発明は、前記ハウジング８０の底面の下に一つの閉鎖空間１７０をさらに形成して、その閉鎖空間１７０に照明手段２２を内設している。
【００８７】
前記照明手段２２は前記閉鎖空間１７０の上部を通過して前記テーブル１０に光を照射するが、この場合には、前記照明手段２０、２１に不要となる。
【００８８】
このとき、前記閉鎖空間１７０は、その上部に透明窓１８０を設けて前記照明手段２２が前記透明窓１８０を介して前記テーブル１０に光を照射するようにし、前記透明窓１９０の上には半透明窓１９０を設けて光の照度を均一にしている。
【００８９】
前記照明手段２２は、好ましくは、発光ダイオードであり、前記透明窓１８０の長さに沿って多数配設されるが、前記半透明窓１９０は円弧状であり、前記透明窓１８０のいずれか一方に設けられて前記照明手段２２の配列を差等的に覆って遮断することにより光の照度を均一にしている。
【００９０】
すなわち、前記配列中の中央に位置する前記照明手段２２は他の個所に位置する照明手段２２よりも照度が高いため、均一な解像度を得るためには前記照明手段２２の照度を調整する必要がある。
【００９１】
このため、図８に示すように、前記半透明窓１９０は、配列中の中央に位置する前記照明手段２２は半分（５０％）以上を覆って遮断し、その上下の先端に進むにつれて遮断量が小さくなるように覆うために円弧状に形成されて照度の均一化を達成している。前記半透明窓１９０としては、半透明ガラス板材や半透明アクリル板材を使用することが好ましいが、これとは異なり、半透明フィルム紙を使用しても構わない。
【産業上の利用可能性】
【００９２】
本発明はデジタルカメラを用いた本スキャナに係り、さらに詳しくは、デジタルカメラを用いて本の内側面をスキャンすることにより、解像度を高めてスキャンする場合であっても迅速なスキャンを行うことができ、左側面または右側面だけを選択的に円滑にスキャンすることもできる他、左右側面を順次にスキャンすることもできる本スキャナに関する。
本発明のスキャナによれば、デジタルカメラを用いて本の内側面をスキャンすることにより、解像度を高めてスキャンする場合であっても迅速なスキャンが行われる。
【００９３】
さらに、デジタルカメラを用いて本がスキャン可能に本を載せるために、テーブルの中央を中心として左右側部を三角形状に折り曲げて形成した板状に具現し、テーブルの左側部と右側部に発生するイメージが集まってそれぞれデジタルカメラに向かって反射される左側固定ミラーと右側固定ミラーを備え、反射されたイメージをデジタルカメラに結像させる回転ミラーを備えることにより、テーブルの左側面に発生したイメージや右側面に発生したイメージを選択的にスキャンすることができ、両側面を両方とも順次にスキャンすることもできる。
【００９４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９５】
１      本
１０    テーブル
２０、２１、２２  照明手段
３０    デジタルカメラ
４０    左側固定ミラー
５０    右側固定ミラー
６０    回転ミラー
７０    モータ
８０    ハウジング
９０    照度計
１００  ストッパー
１１０  連結ジャック
１２０  右側スキャンスイッチ
１３０  左側スキャンスイッチ
１４０  自動スキャンスイッチ
１５０  電源供給スイッチ
１７０  閉鎖空間
１８０  透明窓
１９０  半透明窓
【図１】
2010511347.tif 000003
【図２】
2010511347.tif 000004
【図３】
2010511347.tif 000005
【図４】
2010511347.tif 000006
【図５】
2010511347.tif 000007
【図６】
2010511347.tif 000008
【図７】
2010511347.tif 000009
【図８】
2010511347.tif 000010
【国際調査報告】
2010511347.tif 000011
2010511347.tif 000012